(57)【要約】  通信ネットワーク内のデバイスへ情報を転送するための方法及びシステムが開示される。一態様によれば、当該方法は、リクエストの送信先となるべきサービングノードを選択することを含む。選択されるサービングノードは複数のサービングノードのうちの１つであり、複数のサービングノードのうちの各サービングノードは、異なるアクセス技術をサポートしている。リクエストは、メッセージングサービスメッセージ及びトリガ情報のうちの１つを送信するリクエストである。リクエストは、上記複数のサービングノードのリストを含む。当該方法は、選択されるサービングノードに関連付けられる変換インタフェースを介して、選択されるサービングノードへリクエストを送信することをさらに含む。変換インタフェースは、選択されるサービングノードのアクセス技術に対応するプロトコルを使用するように適合されている。選択されるサービングノードが上記デバイスへ到達不能である場合に、リクエスト内のサービングノードのリスト内の他のサービングノードへ、リクエストが転送される。
2015504268.tif 000002
【特許請求の範囲】
【請求項１】
通信ネットワーク内のデバイスへ情報を転送するための方法であって、
リクエスト（１０１）の転送先となるべきサービングノードを選択することと、選択される前記サービングノードは複数のサービングノード（２２，２４，２６）のうちの１つであることと、前記複数のサービングノード（２２，２４，２６）のうちの各サービングノードは、異なるアクセス技術をサポートしていることと、前記リクエスト（１０１）は、メッセージングサービスメッセージ及びトリガ情報のうちの１つを送信するリクエストであることと、前記リクエスト（１０１）は、前記複数のサービングノード（２２，２４，２６）のリストを含むことと、
選択される前記サービングノードに関連付けられる変換インタフェースを介して、選択される前記サービングノードへ前記リクエスト（１０１）を送信することと、前記変換インタフェースは、選択される前記サービングノードの前記アクセス技術に対応するプロトコルを使用するように適合されていることと、
選択される前記サービングノードが前記デバイスへ到達不能である場合に、前記リクエスト内の前記複数のサービングノードの前記リスト内の他のサービングノードへ、選択される前記サービングノードが前記リクエストを転送すること（Ｓ１２６、Ｓ１３０）と、
を含む方法。
【請求項２】
選択される前記サービングノードの前記アクセス技術は、ＧＥＲＡＮ（GSM  Edge  Radio  Access  Network）（２８）、ＵＴＲＡＮ（Universal  Terrestrial  Radio  Access  Network）（３０）及び進化型ＵＴＲＡＮ（３２）のうちの１つである、請求項１の方法。
【請求項３】
選択される前記サービングノードは、ＭＭＥ（mobile  management  entity）（２６）、サービングＧＰＲＳ（general  packet  radio  service）サポートノード（ＳＧＳＮ）（２４）、及びＭＳＣ（mobile  switching  center）（２２）のうちの１つである、請求項１の方法。
【請求項４】
選択される前記サービングノードがＭＭＥ（２６）であるとき、選択される前記サービングノードに依存する前記プロトコルは、Ｄｉａｍｅｔｅｒプロトコルに基づく、請求項３の方法。
【請求項５】
選択される前記サービングノードが、ＳＧＳＮ（２４）及びＭＳＣ（２２）のうちの１つであるとき、選択される前記サービングノードに依存する前記プロトコルは、ＭＡＰ（Mobile  Application  Part）に基づく、請求項３の方法。
【請求項６】
選択される前記サービングノードが、ＳＧＳＮ（２４）及びＭＳＣ（２２）のうちの１つであるとき、選択される前記サービングノードに依存する前記プロトコルは、Ｄｉａｍｅｔｅｒプロトコルに基づく、請求項３の方法。
【請求項７】
前記サービングノードは、ＳＭＳＣ（short  messaging  service  center）（１２）によって選択され、前記メッセージングサービスメッセージは、ＳＭＳ（short  messaging  service）メッセージである、請求項１の方法。
【請求項８】
前記サービングノードは、ＳＭＳ（short  message  service）ルータ（１２）によって選択され、前記メッセージングサービスメッセージは、ＳＭＳ（short  messaging  service）メッセージである、請求項１の方法。
【請求項９】
前記サービングノードは、ＭＴＣ−ＩＷＦ（machine  type  communication  interworking  function）（１４）によって選択され、前記メッセージングサービスメッセージは、トリガ情報及びスモールデータサービスメッセージ（１０１）のうちの１つである、請求項１の方法。
【請求項１０】
前記サービングノードは、ＨＳＳ（home  subscriber  server）（２０）及びＨＬＲ（home  location  register）（２０）のうちの１つから受信される情報に基づいて選択される、請求項１の方法。
【請求項１１】
前記リクエストが向けられるエンドデバイス（１６）が、選択される前記サービングノードと通信関係にあるかどうかについて、前記サービングノードから指標を受信することをさらに含む、請求項１の方法。
【請求項１２】
第１のアクセス技術をサポートする第１のサービングノード（２２、２４、２６）及び前記第１のアクセス技術と異なる第２のアクセス技術をサポートする第２のサービングノード（２２、２４、２６）と通信関係にある変換インタフェースシステム（１０）であって、
第１のプロトコルを介して前記第１のサービングノード（２２、２４、２６）と通信するように適合される第１の変換インタフェースと、
前記第１のプロトコルと異なる第２のプロトコルを介して前記第２のサービングノード（２２、２４、２６）と通信するように適合される第２の変換インタフェースと、
を含む、変換インタフェースシステム（１０）。
【請求項１３】
前記第１のサービングノード（２４）及び前記第２のサービングノード（２６）を接続するＳ３変換インタフェースをさらに含む、請求項１２のシステム。
【請求項１４】
前記第１のプロトコルは、Ｄｉａｍｅｔｅｒプロトコルに基づく、請求項１２のシステム。
【請求項１５】
前記第２のプロトコルは、ＳＳ７（signaling  system  7）プロトコルに基づく、請求項１２のシステム。
【請求項１６】
前記第１の変換インタフェースは、Ｔ５ｂインタフェースである、請求項１２のシステム。
【請求項１７】
前記第２の変換インタフェースは、Ｔ５ａインタフェースである、請求項１２のシステム。
【請求項１８】
前記第１の変換インタフェースは、ＳＧｄインタフェースである、請求項１２のシステム。
【請求項１９】
前記第１の変換インタフェースは、Ｇｄインタフェースである、請求項１２のシステム。
【請求項２０】
前記第１及び第２の変換インタフェースは、メッセージングサービスセンタ（１２）と通信するように適合される、請求項１２のシステム。
【請求項２１】
前記第１及び第２の変換インタフェースは、ＧＷＭＳＣ（gateway  mobile  switching  centre）（２２）と通信するように適合される、請求項１２のシステム。
【請求項２２】
前記第１及び第２の変換インタフェースは、メッセージサービスルータ（１２）と通信するように適合される、請求項１２のシステム。
【請求項２３】
前記第１及び第２の変換インタフェースは、ＭＴＣ−ＩＷＦ（machine  type  communication  interworking  function）（１８）と通信するように適合される、請求項１２のシステム。
【請求項２４】
ＭＭＥ（mobile  management  entity）（２６）、サービングＧＰＲＳ（General  Packet  Radio  Service）サポートノード（ＳＧＳＮ）（２４）、及びＭＳＣ（Mobile  Switching  Center）（２２）のうちの１つと通信関係にあるエンドデバイスに、第１の通信インフラストラクチャエンティティからのメッセージを通信するための方法であって、
前記ＳＧＳＮ（２４）、前記ＭＳＣ（２２）及び前記ＭＭＥ（２６）のうちの１つにメッセージを送信することと、
前記エンドデバイスが、前記ＳＧＳＮ（２４）、前記ＭＳＣ（２２）及び前記ＭＭＥ（２６）のうちの前記１つと通信関係にあるかどうかを判定することと、
前記エンドデバイスが、前記ＳＧＳＮ（２４）、前記ＭＳＣ（２２）及び前記ＭＭＥ（２６）のうちの前記１つと通信関係にない場合、前記ＳＧＳＮ（２４）及び前記ＭＭＥ（２６）のうちの前記１つが、前記ＳＧＳＮ（２４）及び前記ＭＭＥ（２６）のうちの少なくとも他の１つに前記メッセージを転送することと、
を含む方法。
【請求項２５】
前記ＳＧＳＮ（２４）及び前記ＭＭＥ（２６）の間で前記メッセージを転送することは、Ｓ３インタフェースを介して行われ、前記ＳＧＳＮ（２４）及び前記ＭＳＣ（２２）の間で前記メッセージを転送することは、Ｇｓインタフェースを介して行われ、前記ＭＭＥ（２６）及び前記ＭＳＣ（２２）の間で前記メッセージを転送することは、ＳＧｓインタフェースを介して行われる、請求項２４の方法。
【発明の詳細な説明】
【技術分野】
【０００１】
本発明は、通信ネットワークに関し、具体的には、１つの通信ネットワーク内で発信される情報を異種通信ネットワーク内のデバイスへ転送することに関する。
【背景技術】
【０００２】
無線通信システムは、持続的に進化し改善してきている。しかしながら、新たな標準に準拠する新たな無線通信システムとより古い標準に準拠するレガシー無線通信システムとの間の後方互換性についてのニーズがある。例えば、ＬＴＥ（Long  Term  Evolution）システムは、ＧＳＭ（Global  System  for  Mobile  Communication）といったより古いシステムと後方互換的であるべきである。具体的には、ＳＭＳ（short  messaging  services）が回線交換に基づく技術であって、ＬＴＥはパケット交換サービスをサポートするために設計された技術であるとしても、ＬＴＥを介してＳＭＳを提供することが望ましい。
【０００３】
現在の設備（installations）では、ＳＭＳメッセージを受信し、記憶し及び転送するＳＭＳサービスレイヤと、ＬＴＥネットワークの移動性管理エンティティ（ＭＭＥ）との間の直接的な通信についてのサポートはない。マシンタイプ通信インターワーキング機能（ＭＴＣ−ＩＷＦ）からＭＭＥへのトリガメッセージの直接的な伝達についてのサポートもない。現在のところ、ＳＭＳメッセージ又はトリガメッセージは、ユーザ機器（ＵＥ）へ送信されようとしている場合、まずモバイルスイッチングセンタ（ＭＳＣ）へ送信される。ＵＥがＭＳＣによりサービスされるネットワークに滞在していなければ、ＭＳＣは、ＳＭＳサービスレイヤ又はＭＴＣ−ＩＷＦへ失敗（failure）メッセージを返信しなければならない。そして、ＳＭＳサービスレイヤ又はＭＴＣ−ＩＷＦは、ＳＭＳメッセージ又はトリガメッセージを、サービングＧＰＲＳ（general  packet  radio  service）サポートノード（ＳＧＳＮ）へと向かわせなければならない。そして、ＵＥがＳＧＳＮによりサービスされるネットワークに滞在していなければ、ＳＧＳＮは、ＳＭＳサービスレイヤ又はＭＴＣ−ＩＷＦへ失敗メッセージを返信しなければならない。この２番目の失敗への応答として、ＳＭＳサービスレイヤ又はＭＴＣ−ＩＷＦは、メッセージをＭＳＣへ再度送信することになり、このとき、ＬＴＥネットワークにサービスしているＭＭＥへそのリクエストを転送することを指示する。このＵＥを探す処理の繰り返しは、時間の浪費であって、送信ノード（例えば、ゲートウェイモバイルスイッチングセンタ（ＧＷＭＳＣ）又はＳＭＳルータ）及びＭＳＣ並びにＳＧＳＮ及びＭＭＥが異なるサービス事業者により所有されている場合には高コストでもあり得る。
【発明の概要】
【課題を解決するための手段】
【０００４】
本発明は、有利なこととして、通信ネットワーク内のデバイスへ情報を転送するための方法及びシステムを提供する。一態様によれば、方法は、リクエストの送信先となるべきサービングノードを選択することを含む。選択されるサービングノードは複数のサービングノードのうちの１つであり、当該複数のサービングノードのうちの各サービングノードは、異なるアクセス技術をサポートしている。上記リクエストは、メッセージングサービスメッセージ及びトリガ情報のうちの１つを送信するリクエストである。上記リクエストは、上記複数のサービングノードのリストを含む。当該方法は、選択されるサービングノードに関連付けられる変換インタフェースを介して、選択されるサービングノードへリクエストを転送することをさらに含む。上記変換インタフェースは、選択されるサービングノードのアクセス技術に対応するプロトコルを使用するように適合されている。選択されるサービングノードが上記デバイスへ到達不能である場合に、リクエスト内に含まれるサービングノードのリスト内の他のサービングノードへ、サービングノードがリクエストを転送する。
【０００５】
一態様によれば、選択されるサービングノードのアクセス技術は、ＧＥＲＡＮ（GSM  Edge  Radio  Access  Network）、ＵＴＲＡＮ（Universal  Terrestrial  Radio  Access  Network）及び進化型ＵＴＲＡＮのうちの１つであってもよい。一実施形態では、選択されるサービングノードは、ＭＭＥ（mobile  management  entity）、サービングＧＰＲＳ（general  packet  radio  service）サポートノード（ＳＧＳＮ）、及びＭＳＣ（mobile  switching  center）のうちの１つである。選択されるサービングノードがＭＭＥであるとき、選択されるサービングノードに依存するプロトコルは、Ｄｉａｍｅｔｅｒプロトコルに基づく。他の実施形態では、選択されるサービングノードが、ＳＧＳＮ及びＭＳＣのうちの１つであるとき、選択される前記サービングノードに依存するプロトコルは、ＭＡＰ（Mobile  Application  Part）に基づく。さらに別の実施形態では、選択されるサービングノードが、ＳＧＳＮ及びＭＳＣのうちの１つであるとき、選択されるサービングノードに依存するプロトコルは、Ｄｉａｍｅｔｅｒプロトコルに基づく。いくつかの実施形態によれば、サービングノードは、ＳＭＳＣ（short  messaging  service  center１２）によって選択され、メッセージングサービスメッセージは、ＳＭＳ（short  messaging  service）メッセージである。他の実施形態では、サービングノードは、ＳＭＳ（short  message  service）ルータによって選択され、メッセージングサービスメッセージは、ＳＭＳ（short  messaging  service）メッセージである。さらに他の実施形態では、サービングノードは、ＭＴＣ−ＩＷＦ（machine  type  communication  interworking  function）によって選択され、メッセージングサービスメッセージは、トリガ情報及びスモールデータサービスメッセージのうちの１つである。いくつかの実施形態では、サービングノードは、ＨＳＳ（home  subscriber  server）及びＨＬＲ（home  location  register）のうちの１つから受信される情報に基づいて選択される。一実施形態では、リクエストが向けられるエンドデバイスが、選択されるサービングノードと通信関係にある（in  communication  with）かどうかについて、サービングノードから指標が受信される。
【０００６】
別の態様によれば、本発明は、第１のアクセス技術をサポートする第１のサービングノード及び第１のアクセス技術と異なる第２のアクセス技術をサポートする第２のサービングノードと通信関係にある変換インタフェースシステムを提供する。当該変換インタフェースシステムは、第１の変換インタフェースと第２の変換インタフェースとを含む。第１の変換インタフェースは、第１のプロトコルを介して当該第１のサービングノードと通信するように適合される。第２の変換インタフェースは、第１のプロトコルと異なる第２のプロトコルを介して第２のサービングノードと通信するように適合される。
【０００７】
本態様の一実施形態によれば、当該変換インタフェースシステムは、第１のサービングノード及び第２のサービングノードに接続するＳ３変換インタフェースをさらに含む。別の実施形態では、第１のプロトコルはＤｉａｍｅｔｅｒプロトコルに基づく。さらに別の実施形態では、第２のプロトコルはＳＳ７（signaling  system  7）プロトコルに基づく。いくつかの実施形態では、第１の変換インタフェースは、Ｔ５ｂインタフェース、ＳＧｄインタフェース、Ｇｄインタフェースのうちの１つである。第２の変換インタフェースは、Ｔ５ａインタフェースであってもよい。第１及び第２の変換インタフェースは、メッセージングサービスセンタ、メッセージサービスルータ、ＧＷＭＳＣ（gateway  mobile  switching  centre）、又はＭＴＣ−ＩＷＦ（machine  type  communication  interworking  function）と通信するように適合されてもよい。
【０００８】
別の態様によれば、本発明は、ＭＭＥ（mobile  management  entity）、サービングＧＰＲＳ（General  Packet  Radio  Service）サポートノード（ＳＧＳＮ）のうちの１つと通信関係にあるエンドデバイスに、第１の通信インフラストラクチャエンティティからのメッセージを通信するための方法を提供する。当該方法は、ＳＧＳＮ及びＭＭＥのうちの１つにメッセージを送信することを含む。エンドデバイスがＭＭＥ及びＳＧＳＮのうちの当該１つと通信関係にあるかどうかを、ＭＭＥ及びＳＧＳＮのうちの１つが判定する。エンドデバイスが、ＭＭＥ及びＳＧＳＮのうちの当該１つと通信関係にない場合、ＳＧＳＮ及びＭＭＥの間のＳ３インタフェースを介して、ＳＧＳＮ及びＭＭＥのうちの他の１つにメッセージが転送される。
【０００９】
本態様による実施形態は、Ｓ３インタフェースを介してＳＧＳＮ及びＭＭＥの間でメッセージを転送すること、Ｇｓインタフェースを介してＳＧＳＮ及びＭＳＣの間でメッセージを転送すること、及びＳＧｓインタフェースを介してＭＭＥ及びＭＳＣの間でメッセージを転送することを含んでもよい。
【図面の簡単な説明】
【００１０】
本発明のより完全な理解、並びにその付随する利点及び特徴は、添付の図面と併せて考慮すると、以下の詳細な説明を参照することによって、より容易に理解されるであろう。
【図１】本発明の原理に従って構成された例示的な通信システムのブロック図である。
【図２】ＵＥ（user  equipment）とＭＭＥ（mobility  management  entity）との間の通信を実装する際に交換されるメッセージのメッセージフロー図である。
【図３】無線通信ネットワークにおいて情報を転送するための例示的な処理のフローチャートである。
【図４】サービングＧＰＲＳ（general  packet  radio  service）サポートノード（ＳＧＳＮ）及びＭＭＥから情報を転送するための例示的な処理のフローチャートである。
【図５】ＭＭＥからＳＧＳＮへ情報を転送するための例示的な処理のフローチャートである。
【発明を実施するための形態】
【００１１】
本発明に係る例示的な実施形態について詳細に説明する前に、実施形態は、装置コンポーネントと、通信ネットワークにおける情報の転送に関する処理ステップとの組み合わせに主に属することに留意されたい。したがって、ここでの説明の利益を有する当業者には容易に明らかとなるであろう詳細な開示を不明瞭にしないために、システム及び方法のコンポーネントは、本発明の実施形態の理解に関係のある特定の詳細のみを示す図面において慣用記号により適切な場所に表されている。
【００１２】
ここで使用されるものとして、“第１”（first）及び“第２”（second）、“上部”（top）及び“下部”（bottom）等の関係を示す用語は、このようなエンティティ又はエレメント間の何らかの物理的又は論理的な関係又は順序を必ずしも必要とすることなく、又は意味することなく、１つのエンティティ又はエレメントを別のエンティティ又はエレメントと区別するためだけに使用され得る。
【００１３】
ここで、参照番号が類似のエレメントを示している図面を参照すると、本発明の原理に従って構成された通信ネットワーク１０の例示的なブロック図が図１に示されている。通信ネットワーク１０は、ＳＭＳ（short  messaging  service）サービスレイヤ１２及び、マシンタイプ通信インターワーキング機能（ＭＴＣ−ＩＷＦ；machine  type  communication  interworking  function）１４を含む。ＳＭＳサービスレイヤ１２の目的は、ユーザ機器（ＵＥ）１６宛てのショートメッセージを転送することである。ＳＭＳは、標準化されたプロトコルを使用する、移動通信システムのテキストメッセージングサービスコンポーネントであり、固定及び携帯電話とデバイスとの間の短いテキストメッセージの交換を可能にする。ＭＴＣ−ＩＷＦ１４の目的は、ＵＥ１６にトリガメッセージを転送することである。トリガメッセージは、ＵＥ１６が通信フローを開始するために接続すべきＩＰ（Internet  Protocol）アドレス又はドメイン名を含むことができ、又は他のアプリケーション固有のパラメータを含むことができる。
【００１４】
ＳＭＳサービスレイヤ１２は、通信システムオペレータにより所有されることができ、オペレータのシステムの境界に位置する機器である。同様に、ＭＴＣ−ＩＷＦ１４もまた、通信システムオペレータにより所有されることができ、オペレータのシステムの境界に位置する機器である。ＭＴＣ−ＩＷＦ１４は、（ＭＴＣｓｐとも呼ばれる）Ｔｓｐプロトコルを使用して、（ＳＣＳ（Service  Capability  Server）としても知られる）ＭＴＣサーバ１８と通信関係にある。ＭＴＣサーバ１８は、Ｍ２Ｍ（machine-to-machine）サービスプロバイダがオペレータネットワーク及びそのＭ２Ｍサービスを動作させるための他の機器と通信するために使用するインフラストラクチャを含み、サーバ、ルータ、ＤＮＳサーバ、Radiusサーバ、ＡＡＡサーバ、セキュリティサーバ及びＶＰＮサーバを含むことができる。ＭＴＣ−ＩＷＦは、他のオペレータノードを隠蔽及び保護するための単一のインタフェースを提供し、オペレータネットワーク内のどのノードにコンタクトされる必要があるかに依存して、Ｔｓｐプロトコルを他のプロトコルに変換する。
【００１５】
ＳＭＳサービスレイヤ１２及びＭＴＣ−ＩＷＦ１４は、ＨＳＳ／ＨＬＲ（Home  Subscriber  Server／Home  Location  Register）２０と通信関係にある。ＨＳＳ／ＨＬＲの目的は、ＵＥ１６及び他のローミングユーザ機器の位置を追跡することである。ＨＳＳ／ＨＬＲは、コールをハンドリングするネットワークエンティティをサポートするマスタデータベースを含む。データベースは、サブスクリプション関連の情報（加入者プロファイルとも呼ばれる）を含み、認証及び承認を実行し、現在のサービングノードに関するＵＥ１６の位置についての情報を提供することができる。ＳＭＳサービスレイヤ１２は、ＭＡＰ（Mobile  Application  Part）プロトコル又はDiameterプロトコルを使用してＨＳＳ／ＨＬＲ２０と通信関係にある。ＭＴＣ−ＩＷＦ１４は、Diameterプロトコルを使用するＳ６ｍインタフェースを使用して、ＨＳＳ／ＨＬＲ２０と通信関係にある。当技術分野で知られているように、ＭＡＰプロトコルはＳＳ７（signaling  system  7）プロトコルに基づいている。Diameterプロトコルは、ＩＥＴＦ（Internet  engineering  task  force）のＲＦＣ３５８８仕様書により定義されている。
【００１６】
ＳＭＳサービスレイヤ１２及びＭＴＣ−ＩＷＦ１４は、ＭＳＣ（mobile  switching  center）２２、サービングＧＰＲＳ（general  packet  radio  service）サポートノード（ＳＧＳＮ）２４、及びＭＭＥ（mobile  management  entity）２６を含むことができるサービングノードと通信関係にある。サービングノードのＭＳＣ２２は、ＧＥＲＡＮ（GSM  Edge  Radio  Access  Network）２８として知られる無線アクセス技術を利用して、ＳＭＳ及び回線交換サービスを提供する。サービングノードのＳＧＳＮ２４は、ＳＭＳ及びパケット交換サービスの両方を提供するために、ＧＥＲＡＮ（GSM  Edge  Radio  Access  Network）２８及びＵＴＲＡＮ（Universal  Terrestrial  Radio  Access  Network）３０として知られる無線アクセス技術を利用する。サービングノードのＭＭＥ２６は、進化型ＵＴＲＡＮ（Evolved-UTRAN）３２として知られ、ＬＴＥ（Long  Term  Evolution）としても知られる無線アクセス技術を利用する。
【００１７】
ＳＭＳサービスレイヤ１２は、サービングノードの無線アクセス技術に関連付けられるプロトコルを利用するインタフェースを介してサービングノードと通信関係にある。例えば、ＳＭＳサービスレイヤ１２は、ＭＡＰプロトコルを使用してＭＳＣサービングノード２２及びＳＧＳＮサービングノード２４と通信する。特に、ＳＭＳサービスレイヤは、Ｇｄインタフェースを介してＳＧＳＮサービングノード２４と通信する。ＳＭＳサービスレイヤ１２は、Ｇｄ’インタフェースを介しDiameterプロトコルを使用してＭＭＥサービングノード２６と通信する。Ｇｄ’インタフェースは、ＳＧｄインタフェースとしても知られる。Ｇｄ’インタフェースは、好ましくは、ＭＡＰプロトコルのＧｄサブセットと同一のメッセージ、パラメータ及び機能を有する。Ｇｄ’インタフェースを介してDiameterプロトコルを使用することにより、ＳＭＳサービスレイヤ１２は、Ｅ−ＵＴＲＡＮネットワーク３２内のＵＥを対象とするＳＭＳメッセージを、Ｅ−ＵＴＲＡＮ３２にサービスするＭＭＥサービングノード２６に直接送信することができる。さらに、ＵＥ１６で発信されるＳＭＳメッセージは、Ｇｄ’インタフェースのDiameterプロトコルを使用して、ＭＭＥサービングノード２６を介してＵＥ１６からＳＭＳサービスレイヤ１２に送信され得る。３ＧＰＰ（the  3rd  Generation  Partnership  Project）のＴＳ（technical  standard）２３．０４０に記載されているように、ＳＭＳサービスレイヤの語は、ＳＭＳ−ＩＷＭＳＣ、ＳＭＳ−ＧＷＭＳＣ、ＳＭＳルータ又はＳＭＳＣ−ＳＣを含むことができる。
【００１８】
ＭＴＣ−ＩＷＦ１４は、サービングノードの無線アクセス技術に関連付けられるプロトコルを利用するインタフェースを介してサービングノードと通信関係にある。例えば、ＭＴＣ−ＩＷＦ１４は、Ｔ５ｃ変換インタフェースを使用してＭＳＣサービングノード２２と通信関係にある。ＭＴＣ−ＩＷＦ１４は、Ｔ５ａ変換インタフェースを使用してＳＧＳＮサービングノード２４と通信関係にある。ＭＴＦ−ＩＷＦ１４は、Ｔ５ｂ変換インタフェースを使用してＭＭＥサービングノード２６と通信関係にある。
【００１９】
サービングノード２２、２４及び２６はまた、互いに通信関係にある。例えば、ＭＳＣサービングノード２２は、Ｇｓインタフェースを介してＳＧＳＮサービングノード２４と通信関係にある。ＭＳＣサービングノード２２は、ＳＧｓインタフェースを介してＭＭＥサービングノード２６と通信関係にある。ＳＧＳＮサービングノード２４は、Ｓ３インタフェースを介してＭＭＥと通信関係にある。ＳＧＳＮ及びＭＭＥが組み合わされて単一のユニットにされている場合、Ｓ３インタフェースは省略され得る。
【００２０】
したがって、一実施形態は、第１の無線アクセス技術３０をサポートする第１のサービングノード２４及び第２の無線アクセス技術３２をサポートする第２のサービングノード２６と通信関係にある変換インタフェースシステムを提供する。変換インタフェースシステムは、第１のプロトコルを介して第１のサービングノード２４と通信するように適合される第１の変換インタフェースと、第１のプロトコルとは異なる第２のプロトコルを介して第２のサービングノード２６と通信するように適合される第２の変換インタフェースとを含む。第１のサービングノード２４及び第２のサービングノード２６は、Ｓ３インタフェースなどのインタフェースによって互いに通信することができ、インタフェースは通信しているサービングノードの種類に依存する。
【００２１】
ＳＭＳメッセージが特定のＵＥ１６に伝達されるべきものであるとき、ＳＭＳサービスレイヤ１２は、ＨＳＳ／ＨＬＲ２０と通信し、ＧＥＲＡＮ２８、ＵＴＲＡＮ３０、又はＥ−ＵＴＲＡＮ３２のどのネットワークにおいてＵＥ１６が最後に報告されたかを判定する。最後に報告されたネットワークを判定すると、ＳＭＳサービスレイヤ１２は、そのネットワークにサービスするサービングノードにＳＭＳリクエストを送信してもよい。例えば、ＵＥ１６がＧＥＲＡＮネットワーク２８において最後に報告された場合、ＳＭＳサービスレイヤ１２は、ＭＳＣサービングノード２２にＳＭＳリクエストを送信するであろう。ＳＭＳリクエストは、ＵＥ１６に伝達されるべきＳＭＳメッセージを含み、また、ＵＥ１６が異なるネットワークＧＥＲＡＮ２８、ＵＴＲＡＮ３０、又はＥ−ＵＴＲＡＮ３２でサービスされたことを報告されたサービングノードのリストも含む。したがって、例えば、ＳＭＳリクエストは、ＭＳＣサービングノード２２、ＳＧＳＮサービングノード２４及びＭＭＥサービングノード２６の識別子を含むことがあり得る。
【００２２】
ＳＭＳリクエストがサービングノードによって受信されると、当該リクエストを受信したサービングノードは、リクエストが対象とするＵＥ１６が、当該リクエストを受信するサービングノードによりサービスされるネットワーク内にあるかどうかを判定する。例えば、ＳＧＳＮサービングノード２４が、ＳＭＳサービスレイヤ１２からＳＭＳリクエストを受信する場合、ＳＧＳＮサービングノード２４は、ＵＥ１６がＳＧＳＮサービングノード２４の無線アクセス技術によってサービスされているかどうかを判定する。ＵＥ１６がＳＧＳＮサービングノード２４によってサービスされている場合、ＳＭＳリクエストに含まれるＳＭＳメッセージは、ＳＧＳＮサービングノード２４によってＵＥ１６に送信される。
【００２３】
ＵＥ１６がＳＧＳＮサービングノード２４によってサービスされていない場合、ＳＧＳＮサービングノード２４は、リクエスト内にリストされている他のサービングノードの１つにＳＭＳリクエストを転送する。したがって、例えば、ＳＧＳＮサービングノード２４は、サービングノード２２及び２６のうち１つ又は両方にリクエストを転送する。サービングノード２２及び２６は、当該サービングノードがサービスするネットワーク内にＵＥ１６があるかどうかを判定する。例えば、ＭＳＣサービングノード２２は、ＭＳＣサービングノード２２によってサービスされているネットワーク内にＵＥ１６があるかどうかを判定するであろう。同様に、ＭＭＥサービングノード２６は、ＭＭＥサービングノード２６によってサービスされているＥ−ＵＴＲＡＮネットワーク３２内にＵＥ１６があるかどうかを判定するであろう。
【００２４】
同じように、トリガメッセージ又はスモールデータが特定のＵＥ１６に伝達されるべきであるとき、ＭＴＣ−ＩＷＦ１４は、ＭＳＣ２２、ＳＧＳＮ２４又はＭＭＥ２６のどのサービングノードにおいてＵＥ１６が最後に報告されたかを判定するために、ＨＳＳ／ＨＬＲ２０を見る。スモールデータは、サイズが１キロバイトまでの頻度の低い通信データとして、３ＧＰＰのＴＳ２２．３６８及びＴＳ２３．６８２に従って定義されている。以下、トリガメッセージのハンドリングの議論は、スモールデータのハンドリングにも適用されるものとする。ＵＥ１６にトリガリクエストを伝達すると、ＭＴＣ−ＩＷＦ１４は、最後に報告されたサービングノードにトリガリクエストを送信することができる。例えば、ＵＥ１６がＭＳＣ２２において最後に報告された場合、ＭＴＣ−ＩＷＦ１４は、ＭＳＣサービングノード２２にトリガリクエストを送信するであろう。トリガリクエストは、ＵＥ１６が接続すべきＩＰアドレス、及び他のアプリケーション固有のパラメータを含んでもよく、ＵＥ１６にサービスするサービングノードのリストも含む。したがって、例えば、トリガリクエストは、ＭＳＣサービングノード２２、ＳＧＳＮサービングノード２４及びＭＭＥサービングノード２６の識別子を含むことがあり得る。
【００２５】
トリガリクエストがサービングノードによって受信されると、当該リクエストを受信したサービングノードは、リクエストが対象とするＵＥ１６が、当該リクエストを受信したサービングノードによってサービスされるかどうかを判定する。例えば、ＳＧＳＮ２４がＭＴＣ−ＩＷＦ１４からトリガリクエストを受信する場合、ＳＧＳＮ２４は、ＳＧＳＮ２４がサービスするＧＥＲＡＮ２８又はＵＴＲＡＮネットワーク３０内にＵＥ１６があるかどうかを判定する。ＵＥ１６がＳＧＳＮ２４によってサービスされるネットワーク内にある場合、トリガリクエスト内に含まれるトリガメッセージは、ＳＧＳＮ２４がＵＥに到達可能なネットワークを介してＵＥ１６に送信される。ＵＥ１６がＳＧＳＮサービングノード２４によって到達可能でない場合、ＳＧＳＮサービングノード２４は、リクエスト内にリストされている他のサービングノードのうちの１つ又は両方に、トリガリクエストを転送する。したがって、例えば、ＳＧＳＮサービングノード２４は、サービングノード２２及び２６のうちの１つ又は両方にリクエストを転送してもよい。サービングノード２２及び２６は、当該サービングノードがサービスするネットワーク内にＵＥ１６があるかどうかを判定する。例えば、ＭＳＣサービングノード２２は、ＭＳＣサービングノード２２によってサービスされるネットワーク内にＵＥ１６があるかどうかを判定するであろう。同様に、ＭＭＥサービングノード２６は、ＭＭＥサービングノード２６によってサービスされるＥ−ＵＴＲＡＮネットワーク３２内にＵＥ１６があるかどうかを判定するであろう。
【００２６】
サービングノードは、ＳＭＳメッセージ又はトリガ情報が対象とするＵＥ１６が、サービングノードによってサービスされるネットワークに滞在しているかどうかを、多くの方法で確認することができる。例えば、サービングノードは、ＩＳＲ（Idle  Mode  Signaling  Reduction）を使用して、ＵＥが滞在しているＲＡＴ（radio  access  technology）について通知を継続的に取得してもよい。また、サービングノードは、ＬＴＥシステムのデュアルレジストレーションの使用によって、ＵＥが滞在しているＲＡＴについて通知されてもよい。ＬＴＥシステムでは、ＵＥがＭＭＥからＳＧＳＮへ又はその逆に移動したかどうかの通知をＨＳＳ／ＨＬＲ２０が継続的に取得する。ここで説明したように、他のサービングノードへリクエストを転送する処理は、好適には、１つのＨＰＬＭＮ−ＶＰＬＭＮ（home  public  land  mobile  network−visited  public  land  mobile  network）インタラクションのみを関与させることに留意されたい。
【００２７】
図２は、トリガ情報の伝達及び処理の時点でＥ−ＵＴＲＡＮネットワーク内にあるＵＥ１６へのトリガ情報の伝達についての例示的な信号フロー図である。図２のステップ１０１において、ＭＴＣサーバ１８は、ＭＴＣ−ＩＷＦ１４に移送（トリガ）リクエストを送信する。移送リクエストは、外部ＩＤ、ＭＳＩＳＤＮ、ＩＭＳＩ、又は他のＵＥ識別子のうち１つ又はその他によってＵＥ１６を識別する。ネットワークが移送リクエストを格納し、ある時点でＵＥが到達可能でない場合に、ＵＥにリクエストを伝達するように後で再試行するものとする場合、移送リクエストは任意で有効タイマを含むことができる。
【００２８】
ＭＴＣ−ＩＷＦは、ＵＥ１６がどのＲＡＴに最後に滞在したか、及びサービングノード２２、２４、２６のどれが現在ＨＳＳ／ＨＬＲ２０を介してＵＥ１６にサービスし得るかを確認することができる。ＨＳＳ／ＨＬＲ２０は、サービングノードがＨＳＳ／ＨＬＲ２０のデータベースへのそれらの最後の位置更新を実行した時間を任意で供給してもよく、最適化されたＮＡＳ（network  access  stratum）についてのサービングノードのケイパビリティ及びスモールデータを含む他のＵＥサブスクリプション及びステータス情報を供給してもよい。例えば、ＨＳＳ／ＨＬＲ２０の情報は、トリガリクエストによって示される機能がＵＥの現在のサブスクリプションに対してサポートされているかどうかを示すことができる。サポートされていない場合、トリガリクエストをＵＥに移送する試みは終結し得る。ＨＳＳ／ＨＬＲ２０から取得された情報は、ＳＭＳサービスレイヤ１２及び／又はＭＴＣ−ＩＷＦ１４においてキャッシュされることができることに留意されたい。
【００２９】
ＭＴＣ−ＩＷＦ１４は、ＨＳＳ／ＨＬＲ２０から情報を受信するとどのサービングノードに移動リクエストを送信するかについて決定する。この決定は、ＵＥがパケット交換型（ＰＳ；packet-switched）のみのサブスクリプションを有するか、又はＰＳ及び回線交換型（ＣＳ；circuit-switched）サブスクリプションの両方を有するかどうか、並びにサービングノードが最適化されたＮＡＳ及びスモールデータをサポートするかどうかに基づくことができる。ＨＳＳ／ＨＬＲに対する最新の位置更新が行われたサービングノードには、より高い優先度が与えられるかもしれない。また、トリガ情報又はスモールデータ情報の伝達における直近の成功した試みにおいて使用されたサービングノードが望ましいかもしれない。
【００３０】
図２の例では、ＭＴＣ−ＩＷＦ１４は、ＳＧＳＮ２４に移送リクエストを送信する（ステップ２）。移送リクエスト内で有効タイマがセットされている場合、ＭＴＣ−ＩＷＦ１４は、移送リクエストをショートメッセージとしてＴ４インタフェースを通じてＳＭＳサービスレイヤ１２にすぐに渡すように決定してもよく、又はＴ５ａインタフェースを通じて移送リクエストを直接サービングノードに移送するための最初の試みをするように決定してもよい。
【００３１】
移送リクエストは、サービングノード２２及び２４などの、ＵＥ１６の他の任意のサービングノードのアドレスを指定するパラメータを含むことができる。移送リクエストを受信するサービングノードは、それがＵＥに到達可能かどうかを見るためにチェックする。この例では、ＵＥは、ＳＧＳＮ２４によってサービスされるＵＴＲＡＮ又はＧＥＲＡＮに滞在していない。したがって、ステップ１０３で、ＳＧＳＮ２４は、Ｓ３インタフェースを使用してＭＭＥ２６にリクエストを転送する。リクエストの受信に応答して、ＭＭＥ２６は、ＵＥ１６がＥ−ＵＴＲＡＮ３０に滞在しているかどうかを判定し、もしそうであれば、ステップ１０４でＳＧＳＮ２４に確認応答信号を転送する。こうして、サービングノードのリストを含むことによって、移送リクエストを受信する第１のサービングノードは、リスト内の他のサービングノードにどのように移送リクエストを転送すべきかを知得するであろう。ＵＥ１６へのＳＭＳ又はスモールデータの移送の試みが失敗したサービングノードは、転送された移送リクエスト内に含まれるサービングノードのリスト内のサービングノードへの伝達を既に試みたことをマークしてもよい。これにより、同一のサービングノードが１回以上データを伝達しようとする状況を回避できる。
【００３２】
ステップ１０５で、移送リクエストの確認応答がＳＧＳＮ２４によってＭＴＣ−ＩＷＦ１４に送信される。この移送確認応答リクエストは、ＵＥ１６が現在滞在するのがどのサービングノードであるかを（及び、場合によってはどのＲＡＴであるかも）示すパラメータを含むことができ、移送確認応答リクエストは、ＳＧＳＮ２４がＵＥをページングすることができたかどうか、及びＵＥに移送リクエストを伝達しようと試みているかどうかを報告することもできる。ＭＴＣ−ＩＷＦ１４は、この情報にタイムスタンプを付すことができる。試みが失敗するか又は別の理由で進行していない場合、ＭＴＣ−ＩＷＦは、サービングノードの数及びＭＴＣ−ＩＷＦでメンテナンスされる有効タイマによって判定される有効時間に依存して、Ｔ５インタフェース又はＴ４インタフェースを通じてリクエストを移送するように再試行することができる。
【００３３】
ステップ１０６で、ＭＴＣ−ＩＷＦ１４は、ＵＥ１６への伝達が進行中であることを示す移送リクエスト確認応答をＭＴＣサーバ１８に送信する。移送リクエストがネットワークによって受信され、伝達が進行中である場合、ＭＴＣサーバ１８は、その移送リクエストのいかなる繰り返しも停止し、応答を待つ。移送リクエストが失敗した場合に、ＳＧＳＮサービングノード２４が失敗の原因を示している場合、ＳＧＳＮサービングノード２４から受信される確認応答リクエスト内の原因コードに基づいて、ＭＴＣサーバは、近い将来に新たなトリガリクエストを内部的に予定することができる。送信されるべき次のトリガリクエストは、異なるサービングノードに送信され得る。
【００３４】
ステップ１０４でＳＧＳＮ２４への確認応答信号の転送を送信するのと同時に、ステップ１１０でトリガ情報がＭＭＥ２６によってＵＥ１６に送信され、ＵＥ１６は応答信号をＭＭＥ２６に返送する。ＵＥに送信されるトリガ情報は、ＳＭＳメッセージとしてフォーマットされることができ、デバイストリガの正当性を認証するための署名を含むことができる。ＵＥからの応答は、ステップ１１１でＭＭＥ２６を介してＳＧＳＮ２４に転送される。ＳＧＳＮ２４は、ステップ１１２で、ＭＴＣ−ＩＷＦ１４に当該応答を転送し、ＭＴＣ−ＩＷＦ１４は、同様にステップ１１３でＭＴＣサーバ１８に当該応答を転送する。ＭＭＥ２６によるＵＥ１６への伝達が失敗した場合、ＳＧＳＮサービングノード２４は、データをＭＳＣ２２に転送することにより、再試行することができる。代替として、ＭＳＣ２２への第２の再試行は、ＭＭＥ２６によって実行され得る。ＵＥ１６への伝達が成功した場合、又は全てのサービングノードがＵＥ１６への伝達に失敗した場合、ＭＴＣ−ＩＷＦ１４は、ステップ１１２で、成功又は失敗の原因を示す原因コードを受信するであろう。全てのサービングノードについて試行がなされた場合、原因コードに依存して、ＭＴＣ−ＩＷＦ１４は、ＳＭＳサービスレイヤ１２を介した伝達を試みることに頼るかもしれない。
【００３５】
Ｓ３インタフェースを使用してＭＭＥ２６からＳＧＳＮ２４にリクエストを転送するとき、ＳＧｓインタフェースを使用してＭＭＥ２６からＭＳＣ２２にリクエストを転送するとき、ＳＧｓインタフェースを使用してＭＳＣ２２からＭＭＥ２６にリクエストを転送するとき、Ｇｓインタフェースを使用してＳＧＳＮ２４からＭＳＣ２２にリクエストを転送するとき、及びＧｓインタフェースを使用してＭＳＣ２２からＳＧＳＮ２４にリクエストを転送するとき、同様のステップが続く。逆方向においては、ＬＴＥネットワークに滞在するＵＥからのメッセージは、Ｇｄ’インタフェース（ＳＧｄインタフェースとしても知られる）を使用し、ＭＭＥを介してＳＭＳサービスレイヤ１２に直接送信され得る。
【００３６】
Ｔ５、Ｇｄ、Ｇｄ’又はＭＡＰインタフェースの各インタフェース上で発信側のプロトコルに向けた、上述した確認応答又は他のプロトコルハンドシェイクなどの確認応答をサポートするためのいかなるメッセージも、Ｓ３、Ｇｓ及びＳＧｓプロトコルに追加された新たなメッセージ内に含まれてもよいことに留意されたい。これらの新たなメッセージは、Ｔ５、Ｇｄ、Ｇｄ’、又はＭＡＰインタフェースの各インタフェース上の発信側のプロトコルに対する拡張（extension）として見られ得る。Ｓ３、Ｇｓ及びＳＧｓ上の転送は、受信するインタフェース上で使用されたのとは異なるプロトコル、即ち、Ｓ３インタフェース上の一般パケット無線トンネリングプロトコル、ＧＴＰｖ２−Ｃを代替として使用する。
【００３７】
上述のように、いくつかの実施形態においては、ＭＴＣ−ＩＷＦトリガメッセージは、ＳＭＳサービスレイヤ１２を介してサービングノードに送信され、その後ＳＭＳサービスレイヤ１２を介してサービングノードに転送され得る。ＭＴＣ−ＩＷＦ１４は、パケットデータプロトコル／パケットデータネットワーク（ＰＤＰ／ＰＤＮ）の接続状態にかかわらず、ＵＥに向けてトリガ情報を伝達する純粋なコントロールプレーン機能であることにも留意されたい。ネットワークは、ＭＴＣサーバ１８に戻るＵＥへのトリガ伝達の成功又は失敗を確認する。トリガ情報は、ＵＥ内のＭＴＣアプリケーションに伝達され、当該アプリケーションは、トリガ情報に応答してＭＴＣサーバ１８との通信を開始し得る。
【００３８】
したがって、ＭＴＣ−ＩＷＦ１４は、デバイストリガリクエストを受信すると、キャッシュによりこの情報が既にＭＴＣ−ＩＷＦ１４とって既知でない限り、ＵＥが滞在していた直近のサービングノードを知るためにＨＳＳ２０内のルックアップを開始する。その後ＭＴＣ−ＩＷＦ１４は、示されたサービングノードのうちの１つにトリガ情報とともにトリガリクエストを転送する。ＵＥにリクエストを通知する手段であるページング処理には時間がかかる可能性があるため、サービングノードは直ちにトリガリクエストに応答確認してもよい。代替的に、１以上のサービングノードがあるとき、ＭＴＣ−ＩＷＦ１４は、各サービングノードにトリガリクエストを送信し、又は第２のサービングノードにトリガリクエストを送信するかどうかを決定する前に、第１のサービングノードからの応答を待ってもよい。待つことは、より多くのシグナリングを費やして、応答時間が最小化されることを保証するであろう。
【００３９】
図３は、通信ネットワークにおいて情報を転送するための例示的なプロセスのフローチャートである。ＳＭＳリクエスト又はトリガリクエストの転送先となるべきサービングノードが選択される（ステップＳ１２０）。リクエストは、リクエストが向けられるべきＵＥにサービスする、他のサービングノードのリストも含む。サービングノードの選択は、ＵＥがどのサービングノードによってサービスされているかに関するＨＳＳ／ＨＬＲ内の直近の利用可能な情報に基づいてもよい。リクエストはその後、選択されたサービングノードに依存するプロトコルを使用するように適合されたインタフェースを介して、選択された１つのサービングノードに転送される（ステップＳ１２２）。選択されたサービングノードは、リクエストによって指定された対象とされるＵＥが、選択されたサービングノードによってサービスされているかどうかを示す（ステップＳ１２４）。ステップＳ１２６で判定されるように、対象とされるＵＥが選択されたサービングノードと通信関係にある場合、リクエストに含まれる情報は、対象とされるＵＥに転送される（ステップＳ１２８）。対象とされるＵＥが、選択されたサービングノードと通信関係にない場合、リクエストは、リスト内の別のサービングノードに転送される（ステップＳ１３０）。
【００４０】
ＳＳＧＮ２４及びＭＭＥ２６を有する通信ネットワークにおいて情報を転送するための例示的なプロセスを、図４を参照して説明する。ＳＧＳＮ２４と通信するように適合されたプロトコルを介して、選択されたＳＧＳＮ２４にメッセージが送信される（ステップＳ１３２）。これは、メッセージが対象とするＵＥが、ＳＧＳＮサービングノード２４によってサービスされたと最後に報告されたことを判定した結果として生じ得る。ＳＧＳＮサービングノード２４は、対象とされるＵＥが、ＳＧＳＮと通信関係にあるか否かを判定し得る（ステップＳ１３４）。ステップＳ１３６で判定されるように、対象とされるＵＥが選択されたＳＧＳＮと通信関係にある場合、リクエストは対象とされるＵＥに転送される（ステップＳ１４２）。対象とされるＵＥが選択されたＳＧＳＮと通信関係にない場合、リクエストは、Ｓ３インタフェースを介してＭＭＥ２６に転送される（ステップＳ１３８）。リクエストがＭＭＥ２６によって受信され、ＵＥ１６へ転送されることの確認応答が、ＭＭＥ２６からＳＧＳＮ２4に送信される（ステップＳ１４０）。
【００４１】
図５は、ＳＳＧＮ２４及びＭＭＥ２６を有する通信ネットワークにおいて情報を転送するための別の例示的なプロセスのフローチャートである。ＭＭＥ２６と通信するように適合されたプロトコルを介して、選択されたＭＭＥ２６にメッセージが送信される（ステップＳ１４４）。これは、メッセージが対象とするＵＥが、ＭＭＥ２６によってサービスされたと最後に報告されたことを判定した結果として生じ得る。ＭＭＥ２６は、対象とされるＵＥがＭＭＥ２６と通信関係にあるか否かを判定し得る（ステップＳ１４６）。ステップＳ１３６で判定されるように、対象とされるＵＥが選択されたＭＭＥ２６と通信関係にある場合、リクエストは対象とされるＵＥに転送される（ステップＳ１５４）。対象とされるＵＥが選択されたＭＭＥ２６と通信関係にない場合、リクエストはＳ３インタフェースを介してＳＳＧＮ２４に転送される（ステップＳ１５０）。リクエストがＳＳＧＮ２４によって受信され、ＵＥ１６に転送されることの確認応答は、ＳＧＳＮ２４からＭＭＥ２６に送信される（ステップＳ１５２）。
【００４２】
本発明は、ハードウェア、又はハードウェア及びソフトウェアの組み合わせで実現されることができる。ここに記載された方法を実行するために適合された任意の種類のコンピューティングシステム、又はその他の装置は、ここに記載された機能を実行するのに適している。ハードウェア及びソフトウェアの典型的な組み合わせは、１以上の処理エレメントと、ロードされ実行されるとき、ここに記載された方法を実行するようなコンピュータシステムを制御する、記憶媒体に格納されたコンピュータプログラムとを有する専用コンピュータシステムであり得る。本発明はまた、ここに記載された方法の実装を可能にする全ての特徴を含み、コンピューティングシステムにロードされたときにこれらの方法を実行することができるコンピュータプログラム製品に埋め込まれることができる。記憶媒体とは、任意の揮発性又は不揮発性の有形の記憶装置のことをいう。
【００４３】
本文脈におけるコンピュータプログラム又はアプリケーションは、ａ）他の言語、コードまたは表記法への変換、ｂ）異なる材料形態での複製、のいずれか又は両方を、直接又は後で、特定の機能を実行するための情報処理ケイパビリティを有するシステムを生じさせることを意図した命令のセットの、任意の言語、コード又は表記法における任意の表現を意味する。
【００４４】
本発明は、ここに図示され、上述されたものに特に限定されないことは、当業者には理解されるであろう。さらに、逆に上で言及されていない限り、添付の図面は全て縮尺通りでないことに留意すべきである。種々の修正及び変形は、特許請求の範囲によってのみ限定される本発明の範囲および精神から逸脱することなく、上記の教示に照らして可能である。
【図１】
2015504268.tif 000003
【図２】
2015504268.tif 000004
【図３】
2015504268.tif 000005
【図４】
2015504268.tif 000006
【図５】
2015504268.tif 000007
【国際調査報告】
2015504268.tif 000008
2015504268.tif 000009
2015504268.tif 000010
2015504268.tif 000011
2015504268.tif 000012